(57)【要約】【課題】共通チャネルによって緊急通報を行うことが可能な通信端末を得ること。【解決手段】個別チャネルまたは共通チャネルを介して、通信ネットワークと接続された情報の送信先である緊急通報先装置に情報を送信する通信端末１０において、緊急通報先装置に送信する情報を個別チャネルまたは共通チャネルのいずれによって行うかを選択する切替判断部１４と、切替判断部１４で選択されたチャネルで緊急通報先装置に情報を送信するための情報を作成する緊急情報付加部１５と、緊急情報付加部１５で作成された情報を、通信ネットワーク内で共通チャネルまたは個別チャネルの割り当て制御を行う基地局装置に送信する通信処理部１７と、を備え、通信処理部１７は、基地局装置によって割り当てられた共通チャネルまたは個別チャネルを介して緊急通報先装置に情報を送信する。【選択図】        図２
2006020132.tif 000002
【特許請求の範囲】
【請求項１】
通信装置毎に割り当てられる個別チャネルまたは複数の通信装置と無線フレームを共有する共通チャネルを介して、通信ネットワークと接続された情報の送信先である情報送信先装置に情報を送信する通信端末において、
前記情報送信先装置に送信する情報を前記個別チャネルまたは前記共通チャネルのいずれによって行うかを選択するチャネル選択部と、
前記チャネル選択部で選択されたチャネルで前記情報送信先装置に情報を送信するための要求を、接続要求情報として作成する接続情報作成部と、
前記接続情報作成部で作成された接続要求情報を、前記通信ネットワーク内で共通チャネルまたは個別チャネルの割り当て制御を行う基地局装置に送信する通信部と、
を備え、
前記通信部は、前記基地局装置によって割り当てられた共通チャネルまたは個別チャネルを介して前記送信先装置に情報を送信することを特徴とする通信端末。
【請求項２】
前記チャネル選択部は、前記情報送信先装置との個別チャネルによる通信が行なえないと判断した場合に前記共通チャネルを選択することを特徴とする請求項１に記載の通信端末。
【請求項３】
前記通信部は、前記基地局装置から送信される情報を受信し、
前記チャネル選択部は、前記通信部が前記基地局装置から受信した情報に基づいて、前記情報送信先装置との個別チャネルによる通信が行える状態であるか否かを判断することを特徴とする請求項１または２に記載の通信端末。
【発明の詳細な説明】
【技術分野】
【０００１】
本発明は、移動体通信システムにおいて緊急呼を送信する通信端末に関するものである。
【背景技術】
【０００２】
近年、携帯電話等の移動可能な無線端末の普及が進んでいる。無線端末と接続する移動体通信ネットワーク等において扱える情報量等は所定量に限られており、移動体通信ネットワーク内においては効率良く情報を送受信する必要がある。災害時等の緊急時における無線端末による通信においては、優先的にその通信を確立させることが望まれる。緊急通報（緊急呼）を行なう無線端末に対しては、移動体通信ネットワーク内の通信チャネルを優先的に確保し、他の無線端末よりも優先的に移動体通信ネットワーク内で通信を行なわせる必要がある。
【０００３】
例えば、３ＧＰＰ（Third Generation Partnership Project）規格においては、ＲＲＣコネクションを設定するための制御メッセージ（RRC connection requestメッセージ）に緊急呼の旨のパラメータを含めてネットワークに送信している。そして、ネットワークは緊急呼を送信した無線端末に対して個別チャネルを優先的に割当てることによって、回線交換による緊急呼を実現している。
【０００４】
しかし、移動体通信ネットワーク内において無線端末による通信の多くが重要通信や緊急通報であり無線の個別チャネルの空きリソースがない場合には、新たに緊急呼を送信してきた無線端末に対して個別チャネルを割当てることはできない。
【０００５】
特許文献１に記載の緊急呼接続処理システムにおいては、移動局は基地局から割り当てられた通話チャネルを利用して、移動局の通信処理手段が相手先との通話処理を行なっている。基地局は、移動局からのチャネル割当要求から緊急呼である旨の緊急発信情報を検出すると、通話中の移動局のいずれかに対して緊急呼に対応するためのチャネル切換要求を送出している。そして基地局は、チャネル切換要求に応じて解放された通話チャネルを緊急発信情報を含む発呼要求に割り当てている。また、移動局は入力されたダイアル番号が緊急発信を適用すべき緊急番号であると判断すると、チャネル割当要求に緊急呼である旨の緊急発信情報を付加して送出している。移動局は、基地局から受け取ったチャネル切換要求から緊急切換情報を検出すると現在利用中の基地局以外の基地局に対して再発呼を行っている。
【０００６】
【特許文献１】特開平１０−１３９２７号公報
【発明の開示】
【発明が解決しようとする課題】
【０００７】
しかしながら、上記従来の技術によれば、移動局は制御チャネルを確立した後に基地局に緊急発信情報を送出しているため、制御チャネルを確立できない場合には基地局に緊急発信情報を送出できないといった問題があった。
【０００８】
本発明は、上記に鑑みてなされたものであって、ネットワークとの間に個別の物理チャネルを確立できない場合であっても、緊急通報を行うことが可能な通信端末を得ることを目的とする。
【課題を解決するための手段】
【０００９】
上述した課題を解決し、目的を達成するために、本発明は、通信装置毎に割り当てられる個別チャネルまたは複数の通信装置と無線フレームを共有する共通チャネルを介して、通信ネットワークと接続された情報の送信先である情報送信先装置に情報を送信する通信端末において、前記情報送信先装置に送信する情報を前記個別チャネルまたは前記共通チャネルのいずれによって行うかを選択するチャネル選択部と、前記チャネル選択部で選択されたチャネルで前記情報送信先装置に情報を送信するための要求を、接続要求情報として作成する接続情報作成部と、前記接続情報作成部で作成された接続要求情報を、前記通信ネットワーク内で共通チャネルまたは個別チャネルの割り当て制御を行う基地局装置に送信する通信部と、を備え、前記通信部は、前記基地局装置によって割り当てられた共通チャネルまたは個別チャネルを介して前記送信先装置に情報を送信することを特徴とする。
【００１０】
この発明によれば、個別チャネルまたは共通チャネルによって情報送信先装置に情報の送信を行うので、個別チャネルが使用できない場合であっても共通チャネルによって情報送信先装置に情報の送信を行うことが可能となる。
【発明の効果】
【００１１】
この発明によれば、個別チャネルが使用できない場合であっても使用中の個別チャネルを開放することなく、共通チャネルによって情報送信先装置に情報の送信を行うことが可能になる。したがって、個別チャネルが使用できない場合であっても情報送信先装置への情報の送信を迅速に行うことが可能になるという効果を奏する。
【発明を実施するための最良の形態】
【００１２】
以下に、本発明にかかる通信端末（通信端末装置）の実施の形態を図面に基づいて詳細に説明する。なお、この実施の形態によりこの発明が限定されるものではない。
【００１３】
実施の形態
図１は、本発明の実施の形態に係る通信ネットワークの構成を説明するための図である。通信ネットワークは、通信端末１０、無線基地局の機能を有するＲＡＮ（Radio Access Network）２０、交換機の機能を有するＣＮ（Core Network）３０、電話網４０、インターネット５０、緊急通報先装置（情報送信先装置）６０からなる。
【００１４】
本実施の形態においては、無線基地局（後述するＢＴＳ２１）と通信端末１０の間でＣＤＭＡ（Code Division Multiple Access）等の通信方式を用いる。ＣＤＭＡでは、無線基地局と通信端末１０の間の通信を共通チャネルや個別チャネルによって行なう。共通チャネルは複数の通信端末１０が競合して使用されるチャネルであり、個別チャネルは通信端末１０毎に占有して使用（割り当て）されるチャネルである。これらの共通チャネルと個別チャネルは適応的に切替えられて使用される。ここでは、ＲＡＮ２０、ＣＮ３０が通信端末１０からの要求に応じて、通信端末１０との間で個別チャネルの設定、共通チャネルの設定等の処理を行う。
【００１５】
通信端末１０は、３ＧＰＰ（Third Generation Partnership Project）等によって規格された移動可能な無線通信を行う端末である。通信端末１０はＲＡＮ２０等と接続されて情報の送受信を行う。
【００１６】
ＲＡＮ２０は、通信端末１０とＣＮ３０の間に位置して、通信端末１０とＣＮ３０を接続する無線ネットワークである。ＲＡＮ２０は、無線基地局装置であるＢＴＳ（Base Transceiver Station）２１、無線ネットワーク制御装置であるＲＮＣ（Radio Network Controller）２２を含んで構成されている。
【００１７】
ＢＴＳ２１は、通信端末１０との通話回線や制御回線の制御を行なう機能等を含んで構成されている。ＢＴＳ２１は、通信端末１０からの無線信号を、複数のＢＴＳ２１を管理するＲＮＣ２２に送信する。ＲＮＣ２２は、ＢＴＳ２１と接続されており、無線回線の回線接続制御等を行なう。ＲＮＣ２２は、ＢＴＳ２１からの無線信号をＣＮ３０に送信する。
【００１８】
ＣＮ３０は、電話網４０やインターネット５０とＲＡＮ２０を接続するネットワーク（公衆網）である。ＣＮ３０は、通信端末１０に関する呼制御等を行なう。ＣＮ３０は、ＭＳＣ／ＶＬＲ（Mobile Switching Center）／（Visiting Location Register）３１、ＧＭＳＣ（Gateway Mobile Switching Center）３２、ＳＧＳＮ（Serving GPRS Support System）３３、ＧＧＳＮ（Gateway GPRS Switching Node）３４を含んで構成される。
【００１９】
ＭＳＣ／ＶＬＲ３１は、ＭＳＣの機能とＶＬＲの機能を有する。ＭＳＣ（移動通信制御局（移動通信交換機））は、移動通信サービスを提供するために、呼の接続を制御するとともにサービスを制御する。ＶＬＲは、在圏（Visitor）事業者網の加入者（通信端末１０のユーザ）データベースに対して通信端末の認証情報等を問い合わせる。
【００２０】
ＧＭＳＣ（移動通信交換局）３２は、他のネットワークとの相互接続やルーチングを行う関門交換ノード（関門移動通信交換機）である。ＳＧＳＮ（パケット交換機）３３は、各通信端末１０に関する情報(通信端末１０に割り当てられたＩＤ、基地局のＩＤ、通信状態等)を管理する。ＲＡＮ２０からのパケットは、ＳＧＳＮ３３を介してＧＧＳＮ３４に送られる。ＳＧＳＮ３３は、接続先の装置に対して接続制御を行なう。ＧＧＳＮ（パケット交換機）３４は、電話網４０やインターネット５０へ接続するためのゲートウェイである。ＧＧＳＮ３４は、インターネット５０等とのアクセス制御を行なう。ＳＧＳＮ３３からのパケットはＧＧＳＮ３４を介して電話網４０やインターネット５０に送られる。
【００２１】
電話網４０は、携帯電話網の機能を有するＰＬＭＮ（Public Land Mobile Network）と固定電話網の機能を有するＰＳＴＮ（Public Switched Telephone Network）等を含んで構成されている。ＰＬＭＮは、携帯電話等の移動通信専用ネットワーク（公衆陸上移動網）である。ＰＳＴＮは、アナログ電話回線の公衆電話交換網（固定電話網）である。インターネット５０は、ＣＮ３０と緊急通報先装置６０を接続している。緊急通報先装置６０は、警察署や消防署等に設置される通信装置であり、通信端末１０からの緊急通報等を受信する。
【００２２】
図２は、通信端末の構成を示すブロック図である。通信端末１０は、携帯電話やＰＨＳ（Personal Handyphone System）等の情報通信を行なう端末である。通信端末１０は、緊急時に緊急通報先装置６０に緊急通報（緊急通報情報の送信）を行なう。通信端末１０は、通信ＩＦ部１１、出力部１２、入力部１３、切替判定部（チャネル選択部）１４、緊急情報付加部（接続情報作成部）１５、緊急信号判別部１６、通信処理部（通信部）１７、データ作成部１８、記憶部２５、制御部１９からなる。
【００２３】
通信ＩＦ部１１は、ＲＡＮ２０、ＣＮ３０等を介して緊急通報先装置６０と通信を行う通信インタフェースである。出力部１２は、文字や音声等からなる情報の出力を行なう。出力部１２は、液晶パネルやスピーカ等を備えて構成されている。出力部１２は、情報の出力として液晶パネル等に文字情報を表示させ、スピーカ等に音声情報を出力させる。
【００２４】
入力部１３は、テンキー、マウス、キーボード等を備えて構成され、通信端末１０のユーザからの情報を入力する。入力部１３には通信先となる緊急通報先装置６０と接続するためのダイアル番号や緊急通報先装置６０へ送信する情報（メッセージ）を入力する。記憶部２５は、緊急通報先装置６０のダイアル番号や、予め作成された緊急通報先装置６０へ送信する情報（メッセージ）等を記憶する。
【００２５】
緊急信号判別部１６は、入力部１３に入力されたダイアル番号が緊急通報先装置６０に対応した（緊急通報先装置６０へ接続するための）ダイアル番号（緊急通報用の番号）であるか否かを判別する。緊急信号判別部１６は、記憶部２５に記憶している緊急通報先装置６０のダイアル番号と入力部１３に入力された緊急通報先装置６０のダイアル番号が一致するか否かに基づいて入力されたダイアル番号が緊急通報用の番号であるか否かを判別する。
【００２６】
切替判断部１４は、緊急通報先装置６０に緊急通報を行う際に、個別チャネルによって緊急通報を行うか、共通チャネルによって緊急通報を行うかを判断する。切替判断部１４は、緊急信号判別部１６が入力部１３に緊急通報用のダイアル番号が入力されたと判断すると、個別チャネルを選択して緊急通報を行うと判断する。また、切替判断部１４はＲＡＮ２０（ＢＴＳ２１）から個別チャネルの割り当てに失敗した旨の情報を受信した場合にこの情報を検出する。切替判断部１４は、個別チャネルの割り当てに失敗したことを示す情報を検出すると、共通チャネルを選択して緊急通報を行うと判断する。切替判断部１４は、個別チャネルと共通チャネルのいずれによって緊急通報を行うかの判断結果を緊急情報付加部１５に送信する。
【００２７】
緊急情報付加部１５は、緊急通報先装置６０へ緊急通報する際、チャネルの割り当て要求に緊急の通報である旨（緊急呼（Emergency Call））を示す緊急情報を付加する。緊急情報付加部１５は、切替判断部１４から送信されるチャネルの判断結果に基づいて、緊急通報を行う際のチャネルの割り当て要求に、個別チャネルの割り当てまたは共通チャネルの割り当てのいずれかを要求することを示す情報を付加する。
【００２８】
通信処理部１７は、後述するＲＡＣＨ(Random Access Channel）等の共通チャネルまたはＤＰＣＨ（Dedicated Physical Channel）等の個別チャネルによってＲＡＮ２０と通信を行う。通信処理部１７は、緊急通報を行う際の緊急通報先装置６０との接続要求を送信する。通信処理部１７は、緊急通報に関する情報（メッセージ）を緊急通報先装置６０に送信する。
【００２９】
データ作成部１８は、共通チャネルによって緊急通報を行う際の緊急通報用のメッセージデータを作成する。制御部１９は、通信ＩＦ部１１、出力部１２、入力部１３、切替判断部１４、緊急情報付加部１５、緊急信号判別部１６、通信処理部１７、データ作成部１８、記憶部２５を制御する。
【００３０】
つぎに、通信端末１０による緊急通報の処理手順について説明する。図３は、通信端末による緊急通報の処理手順を示すシーケンス図である。通信端末１０のユーザが緊急通報先装置６０に対して緊急通報を行なう場合、ユーザは通信端末１０の入力部１３から緊急通報先装置６０に対応するダイアル番号を入力する。例えば、緊急通報先装置６０が警察署である場合、ダイアル番号として１１０番を入力する。
【００３１】
通信端末１０においては、予め緊急通報に関する処理設定を行っておく。ここで、緊急通報の設定について説明する。通信端末１０による緊急通報の設定は、出力部１２の表示画面等に所定の設定画面を表示させるとともに、入力部１３から所定の情報を入力することによって行う。
【００３２】
図４は、緊急通報の設定画面の一例を示す図である。設定画面には、緊急通報の設定として例えば「自動送信」、「メール送信」、「ＳＭＳ（Short Message Service）送信」、「音声メモによる送信」が表示される。
【００３３】
「自動送信」は、個別チャネルによる緊急通報が失敗した後、共通チャネルによる緊急通報を自動的に行なうか否かの設定である。自動送信を行なう場合は、パケット通信であってもＳＭＳ通信であってもよい。共通チャネルによる緊急通報を自動的に行なうよう設定した場合は、個別チャネルによる緊急通報が失敗した後、制御部１９が共通チャネルによって自動的に緊急通報を行うよう通信端末１０を制御する。一方、共通チャネルによる緊急通報を自動的に行なうよう設定していない場合は、個別チャネルによる緊急通報が失敗した後、通信端末１０のユーザが入力部１３に入力する指示情報に基づいて共通チャネルによる緊急通報を行う。
【００３４】
「メール送信」は、共通チャネルによる緊急通報をメールアプリケーションとユーザによる所定の指示情報に基づいて行なう設定である。「メール送信」によって緊急通報を行なう場合は、緊急通報時に静止画や動画を添付しても良い。「ＳＭＳ送信」は、共通チャネルによる緊急通報をＳＭＳアプリケーションとユーザによる所定の指示情報に基づいて行なう設定である。「音声メモによる送信」は、共通チャネルによる緊急通報を、音声情報を送信するためのアプリケーションとユーザによる所定の音声メモの入力（録音）に基づいて行なう設定である。「音声メモによる送信」によって緊急通報を行なう場合は、パケット通信によって緊急通報を行なう。
【００３５】
ユーザはこれらの設定の中から所望の設定を選択して、選択した設定を入力部１３から入力する。制御部１９は、入力部１３から入力された緊急通報の設定の情報に基づいて緊急通報の設定を行なう。
【００３６】
なお、音声メモの代わりにデジタルカメラ等で撮影した静止画や動画を送信する構成としてもよい。なお、ユーザ操作の設定を実施しない場合にはデフォルトの設定として、例えば「自動送信」を選択しておく。
【００３７】
緊急通報を行なうため、ユーザによって入力部１３にダイアル番号が入力されると、緊急信号判別部１６は入力されたダイアル番号が緊急通報先装置６０に対応したダイアル番号であるか否かを判別する。ここでは、緊急通報先装置６０に対応したダイアル番号が入力されているので、緊急信号判別部１６は、緊急通報先装置６０に対応したダイアル番号が入力されたと判断する。緊急信号判別部１６が、緊急通報先装置６０に対応したダイアル番号が入力部１３に入力されたと判断すると、回線交換による緊急通報処理が開始される（１）。
【００３８】
切替判断部１４は、個別チャネルによって緊急通報を行うと判断する。切替判断部１４は、この判断結果を緊急情報付加部１５に送信する。緊急情報付加部１５は、緊急呼に個別チャネルの割り当て要求を付加した情報を作成する。ここでの個別チャネルは、例えば３ＧＰＰ規格のＤＰＣＨ（Dedicated Physical Channel）で規定される個別物理チャネルがある。ＤＰＣＨは、データを送るチャネルと送信電力等の制御を行なうチャネルからなり、上り（通信端末１０からＲＡＮ２０に向かう方向）／下り（ＲＡＮ２０から通信端末１０に向かう方向）の双方向のチャネルで通信端末１０に対して個別に割り当てられる物理チャネルである。
【００３９】
緊急通報（緊急呼）を行うための個別チャネルによる接続要求を含んだ「RRC connection request（Emergency Call）」は通信ＩＦ部１１を介してネットワーク（ＲＡＮ２０、ＣＮ３０）に送信される（２）。
【００４０】
ＲＡＮ２０やＣＮ３０は、通信端末１０からの緊急通報を受信すると個別チャネルの確保が可能か否かを確認する。ＲＡＮ２０やＣＮ３０において個別チャネルのリソースが空いている場合は、個別チャネルによる緊急通報が緊急通報先装置６０に行なわれる。
【００４１】
一方、個別チャネルが全て利用中のために通信端末１０による個別チャネルの確保が失敗した場合（ＤＰＣＨ割り当て失敗）、通信端末１０の回線交換による緊急通報は失敗となる（３）。
【００４２】
通信端末１０から発信されたセルによる個別チャネルのリソースが空いていない場合、個別チャネルの確保（確立）が失敗した旨の情報（「RRC connection rejectメッセージ」）が、ＲＡＮ２０から通信端末１０に送信される（４）。
【００４３】
通信端末１０は、通信ＩＦ部１１を介して「RRC connection rejectメッセージ」を受信する。この「RRC connection rejectメッセージ」は、通信ＩＦ部１１から切替判別部１４に送信される。切替判別部１４は、「RRC connection rejectメッセージ」を受信すると、個別チャネルの設定が失敗であると判断し、この判断結果を緊急情報付加部１５に送信する。
【００４４】
緊急情報付加部１５は、緊急呼に共通チャネルの割り当て要求を付加した情報を作成する。通信処理部１７は、共通チャネル（ＲＡＣＨ（Ｓ−ＣＣＰＣＨ））による緊急通報を行なうための処理を開始する（５）。ここでのＲＡＣＨは、上り方向の共通チャネルで、制御情報やユーザデータを送信する物理チャネルである。このとき、緊急通報を共通チャネルによって実行している旨を出力部１２に表示させることによってユーザに通知する。
【００４５】
データ作成部１８は、共通チャネルによって緊急通報を行う際の緊急通報用の情報（データ）を作成する（６）。緊急通報用の情報の作成は、例えば、予め緊急通報用のメッセージを記憶部２５に記憶しておき、記憶しておいたメッセージをユーザが選択するとともにユーザが入力する文字等の情報を付加することによって作成する。
【００４６】
通信処理部１７は、共通チャネルによって緊急通報を行うため、共通チャネルによる接続要求を含む「RRC connection request（Originating Interactive Call）」）をＲＡＮ２０のＲＮＣ２２に送信する（７）。通信処理部１７は、ＲＡＮ２０やＣＮ３０との制御処理を行って共通チャネルを確保する。このとき、通信端末１０とネットワーク（ＲＡＮ２０、ＣＮ３０）の間で行なわれるパケット通信のための設定が、通信端末１０やネットワークで行われる。
【００４７】
ネットワーク（ＲＡＮ２０、ＣＮ３０）から通信端末１０へは、「ＳＭ（Session Management）（SM Active PDP（Packet Data Protocol） Context Accept」が送信され（９）、ＲＡＮ２０やＣＮ３０と通信端末１０の間でパケット通信の設定が完了する。ここでのＳＭは、パケット交換サービスを提供するためのプロトコルであり、通信端末１０とネットワーク（ＲＡＮ２０、ＣＮ３０）の間の通信制御プロトコルである。この後、データ作成部１８で作成された緊急通報用の情報は、パケット通信によってＲＡＮ２０、ＣＮ３０を介して緊急通報先装置６０に送信される（１０）。
【００４８】
緊急通報用の情報を緊急通報先装置６０へ送信する際、通信端末１０の出力部１２は緊急通報に関する情報を表示する。図５〜図６−３は、緊急通報の際に出力部１２に表示する画面の一例を示す図である。
【００４９】
図５は、「自動設定」によって緊急通報を行なった場合の画面表示の一例を示す図である。ここでは、緊急通報をメールやＳＭＳによって行なった場合として、「電話回線が混雑しており、緊急通報をメールとして自動送信しました」、「電話回線が混雑しており、緊急通報をＳＭＳとして自動送信しました」等のメッセージを表示している。
【００５０】
自動設定によって自動的に送信される情報には、通報者（通信端末１０）の電話番号（通信端末１０を識別するための情報）、メールアドレス、通報時間（緊急通報を行った日時に関する情報）が含まれる。また、自動的に送信される情報として、通信端末１０がＧＰＳ（Global Positioning System）機能によって通信端末１０の位置に関する情報を取得可能な場合は、通信端末１０の位置に関する情報を含めてもよい。
【００５１】
ここで、緊急通報が「自動設定」でない場合の画面表示について説明する。図６−１は、メールおよびＳＭＳによって緊急通報する際の画面表示の一例を示す図である。ここでは、緊急通報をメールやＳＭＳによって行なうようユーザに促すため、「電話回線が混雑しており、緊急通報をメールに切替えて送信願います」、「電話回線が混雑しており、緊急通報をＳＭＳに切替えて送信願います」等のメッセージを表示している。
【００５２】
ユーザが、図６−１に示した画面の状態において入力部１３から、メールやＳＭＳによって緊急通報をおこなうよう指示情報を入力（例えば「ＯＫ」ボタンの押下）すると、出力部１２は緊急通報先装置６０に通知する内容を設定する画面等を表示する。
【００５３】
図６−２は、緊急通報先装置に通知する内容を設定する画面の一例を示す図である。出力部１２は、緊急通報先装置６０に通知する内容として、例えば緊急通報の種別を示す「緊急通報種別」や緊急通報の概要を示す「緊急通報概要」を入力するための画面を表示する。ユーザは、出力部１２に表示された内容に基づいて緊急通報先装置６０に通知する内容を設定する。例えば、「緊急通報種別」として「地震」、「交通事故」、「洪水」、「内容」が表示されている場合、ユーザはこれらの表示項目の中から指定する緊急通報の種別を選択（指定）して入力部１３に入力する。また、「緊急通報概要」として「人命に関わる緊急通報」、「その他」が表示されている場合、ユーザはこれらの表示項目の中から指定する緊急通報の概要を選択して入力部１３に入力する。さらに、緊急通報先装置６０に通知する内容として、必要に応じたメッセージを入力部１３に入力する。
【００５４】
「緊急通報種別」や「緊急通報概要」の入力をした後、例えば「確定」ボタンを押す（確定の指示情報の入力）ことによって、緊急通報先装置６０に通知する内容として設定された情報が緊急通報先装置６０に送信される。なお、緊急通報先装置６０の宛先アドレスは、予め記憶部（図示せず）等に記憶しておく。
【００５５】
図６−３は、音声メモによって緊急通報する際の画面表示の一例を示す図である。ここでは、緊急通報を音声によって緊急通報を行なうため、「電話回線が混雑しており、緊急通報を音声メモによる送信に切替え願います」等のメッセージを表示している。この表示画面の状態において、ユーザが入力部１３からメッセージを確認したことを示す確認情報の入力（「ＯＫ」ボタンの押下）を行なうと、出力部１２は音声メモの録音準備状態であることを示す画面を表示する。この状態で、ユーザが入力部１３から録音開始を示す情報を入力（「開始」ボタンの押下）すると、入力部１３による音声の入力が開始される。入力部１３に入力された音声情報は、図示しない記憶装置等によって記憶（録音）される。ユーザが入力部１３から録音終了を示す情報を入力（「完了」ボタンの押下）すると、入力部１３による音声の入力が停止（終了）するよう設定してある。また、ユーザが入力部１３から録音再開を示す情報を入力（「戻る」ボタンの押下）すると、入力部１３による音声の入力が再開するよう設定してある。
【００５６】
緊急通報先装置６０は、受信した緊急通報の内容を確認する。このとき、緊急通報先装置６０は、緊急通報に対する応答（応答情報）を必要に応じてユーザ（通信端末１０）に送信する。通信端末１０は、緊急通報先装置６０からの応答情報を受信すると、出力部１３によってこの応答情報を受信した旨の通知（文字等の表示や音声出力）をユーザに行う。
【００５７】
緊急通報先装置６０が通信端末１０に応答情報を送信する場合、ネットワーク（ＲＡＮ２０、ＣＮ３０）は応答情報の送信者（緊急通報先装置６０）の電話番号を解析する。これにより、ネットワーク側では緊急通報先装置６０から通信端末１０へ送られた情報が緊急呼に対する応答であることを確認する。ネットワーク（ＲＡＮ２０、ＣＮ３０）は、緊急通報先装置６０から応答情報が送信されたことを確認すると、緊急通報先装置６０に対して優先的にＤＰＣＨを割り当てて回線交換による緊急通報を行うようにしてもよい。
【００５８】
また、緊急通報先装置６０は、ＤＰＣＨまたは共通チャネルであるＦＡＣＨ（Forward Access Channel）によって緊急通報に対する応答情報を通信端末１０に送信してもよい。ここでのＦＡＣＨは、上り方向の共通チャネルで制御情報およびユーザデータの送信に使用する物理チャネルである。
【００５９】
なお、本実施の形態においては通信端末１０から緊急通報先装置６０へ緊急通報（緊急情報の送信）を行うこととしたが、通信端末１０から緊急通報先装置６０へ送信する情報は緊急情報に限られず、通信端末１０から緊急通報先装置６０へ優先的に送受信する必要がある情報等であれば他の情報であってもよい。
【００６０】
なお、本実施の形態においては個別チャネルの割り当てができなかった場合に、共通チャネルによって緊急通報を行うこととしたが、個別チャネルの割り当てができなかった場合に限られず、個別チャネルの割り当てを行う前に共通チャネルによって緊急通報を行ってもよい。
【００６１】
このように実施の形態によれば、個別チャネルに空きリソースがない場合であっても、共通チャネルによって緊急通報先装置６０に緊急通報を行うことが可能となる。また、個別チャネルが重要通信や緊急通信によって全て利用されている場合であっても、この重要通信や緊急通信のチャネルを開放することなく、通信端末１０による緊急通報が可能となる。したがって、個別チャネルが使用できない場合であっても緊急通報先装置６０への情報の送信を迅速に行うことが可能になる。また、通信端末１０は個別チャネルによって緊急通報を行えない場合に共通チャネルによって緊急通報を行うので、緊急通報先装置６０に対して効率的なデータ通信を行うことが可能となる。また、通信ＩＦ部１１は個別チャネルの確保が失敗した旨の情報をネットワークから受信し、切替判断部１４は通信ＩＦ部が受信した情報に基づいて共通チャネルによる緊急通報を行うので、共通チャネルによって緊急通報を行うか否かを適切に判断することが可能となる。したがって、緊急通報先装置６０に対して効率的なデータ通信を行うことが可能となる。
【産業上の利用可能性】
【００６２】
以上のように、本発明にかかる通信端末は、個別チャネルの空きリソースがない場合の情報送信に適している。
【図面の簡単な説明】
【００６３】
【図１】実施の形態に係る通信ネットワークの構成を説明するための図である。
【図２】通信端末の構成を示すブロック図である。
【図３】通信端末による緊急通報の処理手順を示すシーケンス図である。
【図４】緊急通報の設定画面の一例を示す図である。
【図５】「自動設定」によって緊急通報を行なった場合の画面表示の一例を示す図である。
【図６−１】メールおよびＳＭＳによって緊急通報する際の画面表示の一例を示す図である。
【図６−２】緊急通報先装置に通知する内容を設定する画面の一例を示す図である。
【図６−３】音声メモによって緊急通報する際の画面表示の一例を示す図である。
【符号の説明】
【００６４】
１０  通信端末
１１  通信ＩＦ部
１２  出力部
１３  入力部
１４  切替判断部
１５  緊急情報付加部
１６  緊急信号判別部
１７  通信処理部
１８  データ作成部
１９  制御部
２０  ＲＡＮ
２１  ＢＴＳ
２２  ＲＮＣ
２５  記憶部
３０  ＣＮ
３１  ＭＳＣ／ＶＬＲ
３２  ＧＭＳＣ
３３  ＳＧＳＮ
３４  ＧＧＳＮ
４０  電話網
５０  インターネット
６０  緊急通報先装置
【図１】
2006020132.tif 000003
【図２】
2006020132.tif 000004
【図３】
2006020132.tif 000005
【図４】
2006020132.tif 000006
【図５】
2006020132.tif 000007
【図６−１】
2006020132.tif 000008
【図６−２】
2006020132.tif 000009
【図６−３】
2006020132.tif 000010